(57)【要約】【課題】１つのタグを通じて互いに異なるコンテンツを提供することを可能とするように、情報を管理することのできる情報管理サーバ、情報提供システム、情報提供方法、および、情報管理プログラムを提供する。【解決手段】情報管理サーバ４０は、タグ１０が有するタグ情報を受信する端末２０からタグ情報を受け取る受信部と、コンテンツの提供元に関する情報である互いに異なる複数のコンテンツ情報と、複数のコンテンツ情報の各々に対応付けられた付加情報とが１つのタグ情報に対応付けられたデータを記憶する記憶部と、付加情報を取得する取得部と、端末２０から受け取ったタグ情報および取得部が取得した付加情報に対応付けられるコンテンツ情報を、記憶部の記憶するデータを用いて特定する情報特定部と、特定されたコンテンツ情報を出力する出力部と、を備える。【選択図】図１
2015138279.tif 000002
【特許請求の範囲】
【請求項１】
タグが有するタグ情報を受信する端末から前記タグ情報を受け取る受信部と、
コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、
前記付加情報を取得する取得部と、
前記端末から受け取った前記タグ情報および前記取得部が取得した前記付加情報に対応付けられる前記コンテンツ情報を、前記記憶部の記憶する前記データを用いて特定する情報特定部と、
前記特定された前記コンテンツ情報を出力する出力部と、
を備える情報管理サーバ。
【請求項２】
前記付加情報は、言語の種類を示す言語情報であり、
前記取得部は、前記端末にて設定されている表示言語の種類を示す前記言語情報を前記端末から取得し、
前記記憶部にて前記タグ情報に対応付けられている複数の前記コンテンツ情報の各々は、前記コンテンツ情報に対応付けられている前記言語情報が示す種類の言語にて表示されるコンテンツの提供元に関する情報である
請求項１に記載の情報管理サーバ。
【請求項３】
前記情報管理サーバは、前記タグが割り当てられた表示装置とネットワークを介して接続され、
前記表示装置の表示内容を時刻に応じて制御する表示制御部をさらに備え、
前記付加情報は、時刻を示す時刻情報であり、
前記取得部は、現在時刻を示す前記時刻情報を取得し、
前記記憶部にて前記タグ情報に対応付けられている複数の前記コンテンツ情報の各々は、前記コンテンツ情報に対応付けられている前記時刻情報が示す時刻における前記表示装置の前記表示内容に関連するコンテンツの提供元に関する情報である
請求項１に記載の情報管理サーバ。
【請求項４】
タグが有するタグ情報を受信する端末と、
前記端末とネットワークを介して接続する情報管理サーバと、を備え、
前記情報管理サーバは、
前記端末から前記タグ情報を受け取る受信部と、
コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、
前記付加情報を取得する取得部と、
前記端末から受け取った前記タグ情報および前記取得部が取得した前記付加情報に対応付けられる前記コンテンツ情報を、前記記憶部の記憶する前記データを用いて特定する情報特定部と、
前記特定された前記コンテンツ情報を出力する出力部と、を備える
情報提供システム。
【請求項５】
タグが有するタグ情報を受信する端末と、
前記端末とネットワークを介して接続する情報管理サーバと、を用いて行われる情報提供方法であって、
前記情報管理サーバが、前記端末から前記タグ情報を受け取るステップと、
前記情報管理サーバが、付加情報を取得するステップと、
前記情報管理サーバが、コンテンツの提供元に関する情報である互いに異なる複数のコンテンツ情報と、前記複数のコンテンツ情報の各々に対応付けられた付加情報とが１つのタグ情報に対応付けられたデータを用いて、前記端末から受け取った前記タグ情報および前記取得した前記付加情報に対応付けられる前記コンテンツ情報を特定するステップと、
前記特定された前記コンテンツ情報が出力されるステップと、
を含む情報提供方法。
【請求項６】
タグが有するタグ情報を読み取る端末とネットワークを介して接続する情報管理サーバを、
前記端末から前記タグ情報を受け取る受信部と、
コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、
前記付加情報を取得する取得部と、
前記端末から受け取った前記タグ情報および前記取得部が取得した前記付加情報に対応付けられる前記コンテンツ情報を、前記記憶部の記憶する前記データを用いて特定する情報特定部と、
前記特定された前記コンテンツ情報を出力する出力部と、
として機能させる情報管理プログラム。
【発明の詳細な説明】
【技術分野】
【０００１】
本開示の技術は、コンテンツの提供に用いられる情報管理サーバ、情報提供システム、情報提供方法、および、情報管理プログラムに関する。
【背景技術】
【０００２】
スマートポスターやデジタルサイネージ等の広告媒体に取り付けられるＩＣタグには、例えば、広告媒体に掲載されている商品に関するウェブサイトのＵＲＬ等がタグ情報として記憶されている。そして、ＩＣタグが有するタグ情報は、利用者が所持するスマートフォン等の端末に読み取られ、読み取られたタグ情報に基づいて、端末から上記ウェブサイト等へのアクセスが行われる。これにより、上記ウェブサイト等が提供するコンテンツが利用者に提供される（例えば特許文献１、特許文献２参照）。
【先行技術文献】
【特許文献】
【０００３】
【特許文献１】特開２００２−１６２９１８号公報
【特許文献２】特開２００２−２１５０４９号公報
【発明の概要】
【発明が解決しようとする課題】
【０００４】
ところで、上述のＩＣタグを用いたコンテンツの提供では、１つのＩＣタグを通じて利用者に提供されるコンテンツは、そのＩＣタグに記憶されているタグ情報に基づいて利用者の所持する端末が取得するコンテンツに限られる。したがって、状況に応じて、１つのＩＣタグを通じて互いに異なるコンテンツを利用者に提供することは困難である。それゆえ、１つのＩＣタグを通じて互いに異なるコンテンツを提供することを可能とするように、タグ情報やコンテンツに関する情報等の情報を管理することが求められる。
【０００５】
本開示の技術は、１つのタグを通じて互いに異なるコンテンツを提供することを可能とするように、情報を管理することのできる情報管理サーバ、情報提供システム、情報提供方法、および、情報管理プログラムを提供することを目的とする。
【課題を解決するための手段】
【０００６】
上記課題を解決する情報管理サーバは、タグが有するタグ情報を受信する端末から前記タグ情報を受け取る受信部と、コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、前記付加情報を取得する取得部と、前記端末から受け取った前記タグ情報および前記取得部が取得した前記付加情報に対応付けられる前記コンテンツ情報を、前記記憶部の記憶する前記データを用いて特定する情報特定部と、前記特定された前記コンテンツ情報を出力する出力部と、を備える。
【０００７】
上記課題を解決する情報提供システムは、タグが有するタグ情報を受信する端末と、前記端末とネットワークを介して接続する情報管理サーバと、を備え、前記情報管理サーバは、前記端末から前記タグ情報を受け取る受信部と、コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、前記付加情報を取得する取得部と、前記端末から受け取った前記タグ情報および前記取得部が取得した前記付加情報に対応付けられる前記コンテンツ情報を、前記記憶部の記憶する前記データを用いて特定する情報特定部と、前記特定された前記コンテンツ情報を出力する出力部と、を備える。
【０００８】
上記課題を解決する情報提供方法は、タグが有するタグ情報を受信する端末と、前記端末とネットワークを介して接続する情報管理サーバと、を用いて行われる情報提供方法であって、前記情報管理サーバが、前記端末から前記タグ情報を受け取るステップと、前記情報管理サーバが、付加情報を取得するステップと、前記情報管理サーバが、コンテンツの提供元に関する情報である互いに異なる複数のコンテンツ情報と、前記複数のコンテンツ情報の各々に対応付けられた付加情報とが１つのタグ情報に対応付けられたデータを用いて、前記端末から受け取った前記タグ情報および前記取得した前記付加情報に対応付けられる前記コンテンツ情報を特定するステップと、前記特定された前記コンテンツ情報が出力されるステップと、を含む。
【０００９】
上記課題を解決する情報管理プログラムは、タグが有するタグ情報を読み取る端末とネットワークを介して接続する情報管理サーバを、前記端末から前記タグ情報を受け取る受信部と、コンテンツの提供元に関する情報である互いに異なる複数のコンテンツ情報と、前記複数のコンテンツ情報の各々に対応付けられた付加情報とが１つのタグ情報に対応付けられたデータを記憶する記憶部と、前記付加情報を取得する取得部と、前記端末から受け取った前記タグ情報および前記取得部が取得した前記付加情報に対応付けられる前記コンテンツ情報を、前記記憶部の記憶する前記データを用いて特定する情報特定部と、前記特定された前記コンテンツ情報を出力する出力部と、として機能させる。
【００１０】
上記構成によれば、情報管理サーバが端末から受け取ったタグ情報と合致するタグ情報に対応付けて記憶している複数のコンテンツ情報のうち、情報管理サーバが取得した付加情報と合致する付加情報に対応付けられているコンテンツ情報が特定されて出力される。したがって、付加情報に応じて、互いに異なるコンテンツ情報が出力され、情報の出力を受けた装置は、付加情報に応じた互いに異なるコンテンツ情報を利用することができる。結果として、１つのタグを通じて互いに異なるコンテンツを提供することを可能とするように、情報を管理することができる。
【００１１】
上記情報管理サーバにおいて、前記付加情報は、言語の種類を示す言語情報であり、前記取得部は、前記端末にて設定されている表示言語の種類を示す前記言語情報を前記端末から取得し、前記記憶部にて前記タグ情報に対応付けられている複数の前記コンテンツ情報の各々は、前記コンテンツ情報に対応付けられている前記言語情報が示す種類の言語にて表示されるコンテンツの提供元に関する情報であることが好ましい。
【００１２】
上記構成によれば、情報管理サーバから出力されるコンテンツ情報は、タグ情報を読み取った端末にて設定されている表示言語によって表示されるコンテンツの提供元に関する情報である。したがって、出力されたコンテンツ情報が利用されることにより、端末にて設定されている表示言語によって表示されるコンテンツが提供されるため、ユーザの利便性が高められる。
【００１３】
上記情報管理サーバにおいて、前記情報管理サーバは、前記タグが割り当てられた表示装置とネットワークを介して接続され、前記表示装置の表示内容を時刻に応じて制御する表示制御部をさらに備え、前記付加情報は、時刻を示す時刻情報であり、前記取得部は、現在時刻を示す前記時刻情報を取得し、前記記憶部にて前記タグ情報に対応付けられている複数の前記コンテンツ情報の各々は、前記コンテンツ情報に対応付けられている前記時刻情報が示す時刻における前記表示装置の前記表示内容に関連するコンテンツの提供元に関する情報であることが好ましい。
【００１４】
上記構成によれば、情報管理サーバから出力されるコンテンツ情報は、タグ情報が読み取られたタグが割り当てられている表示装置におけるその時刻での表示内容に関連するコンテンツの提供元に関する情報である。したがって、出力されたコンテンツ情報を利用することにより、表示装置のその時刻での表示内容に関連するコンテンツが提供されるため、表示内容の切り替わりに応じてユーザに適切なコンテンツが提供される。
【発明の効果】
【００１５】
本開示の技術によれば、１つのタグを通じて互いに異なるコンテンツを提供することを可能とするように、情報を管理することができる。
【図面の簡単な説明】
【００１６】
【図１】本開示の技術における第１の実施形態の情報提供システムの全体構成を示すシステム構成図である。
【図２】第１の実施形態における情報管理サーバの装置構成を示すブロック図である。
【図３】第１の実施形態におけるタグ情報とコンテンツ情報および言語情報との対応関係を示す図である。
【図４】第１の実施形態でのコンテンツの提供の手順を示すシーケンス図である。
【図５】本開示の技術における第２の実施形態の情報提供システムの全体構成を示すシステム構成図である。
【図６】第２の実施形態における情報管理サーバの装置構成を示すブロック図である。
【図７】第２の実施形態におけるタグ情報とコンテンツ情報および時刻情報との対応関係を示す図である。
【図８】第２の実施形態でのコンテンツの提供の手順を示すシーケンス図である。
【発明を実施するための形態】
【００１７】
（第１の実施形態）
図１〜図４を参照して、情報管理サーバ、情報提供システム、情報提供方法、および、情報管理プログラムの第１の実施形態について説明する。
【００１８】
［情報提供システムの構成］
図１を参照して、情報提供システムの全体構成について説明する。
図１に示されるように、情報提供システムは、ＩＣタグ１０と、ユーザ端末２０と、コンテンツ提供サーバ３０と、情報管理サーバ４０とを含む。ユーザ端末２０と、コンテンツ提供サーバ３０と、情報管理サーバ４０とは、インターネット等のネットワークＮＷに接続されて、相互にデータを送信および受信する。
【００１９】
ＩＣタグ１０は、ＩＣチップやアンテナを備え、近距離無線通信によるデータの送受信が可能な装置である。ＩＣタグ１０の備えるＩＣチップは、タグ情報Ｉｔを記憶している。ＩＣタグ１０が有するタグ情報Ｉｔは、当該ＩＣタグ１０に固有の情報であって、ＩＣタグ１０ごとに割り当てられている。第１の実施形態において、タグ情報Ｉｔは、情報管理サーバ４０におけるアクセス先を示すアドレスとしてのＵＲＬ（ユニフォーム・リソース・ロケータ）に具体化される。
【００２０】
ＩＣタグ１０は、例えば、街頭や駅や商業施設に設置されるスマートポスターやデジタルサイネージ等の広告媒体に埋め込まれている。あるいは、ＩＣタグ１０は、広告が付随しない状態で、情報提供システムの利用方法や提供されるコンテンツの内容等が示された案内とともに、街頭や駅や商業施設等の所定の場所に設置されてもよい。またあるいは、ＩＣタグ１０は、書籍やＣＤ等の物品に貼り付けられていてもよい。
【００２１】
なお、タグ情報Ｉｔは、複数のＩＣタグ１０の各々に共通する情報であってもよく、例えば、同一の商品を掲載する複数の広告媒体では、複数のＩＣタグ１０の各々は、共通する１つのタグ情報Ｉｔを有していてもよい。
【００２２】
ユーザ端末２０は、近距離無線通信機能、ネットワークＮＷへの接続機能、および、ウェブサイトの閲覧機能を備える端末である。また、ユーザ端末２０は、ユーザ端末２０にて設定されている表示言語の種類を示す言語情報Ｉｇを有している。表示言語は、ユーザ端末２０の操作に際してユーザ端末２０の有する表示部に表示される文字情報を表す言語である。こうしたユーザ端末２０は、例えば、ＮＦＣ（ニア・フィールド・コミュニケーション）に対応したスマートフォンに具体化される。
【００２３】
ユーザ端末２０は、ＩＣタグ１０に割り当てられたタグ情報ＩｔをＩＣタグ１０から非接触で読み取り、読み取られたタグ情報Ｉｔに基づいて情報管理サーバ４０にアクセスする。このとき、ユーザ端末２０は、付加情報として言語情報Ｉｇを情報管理サーバ４０に送信する。そして、ユーザ端末２０は、情報管理サーバ４０から、コンテンツ情報Ｉｃを受信し、受信した情報に基づいてコンテンツ提供サーバ３０にアクセスする。なお、ネットワークＮＷには、こうした複数のユーザ端末２０が接続される。
【００２４】
コンテンツ提供サーバ３０は、コンテンツを提供するウェブサイトを構築している。コンテンツ提供サーバ３０が提供するコンテンツには、ウェブサイト上で提供される文字情報や静止画や動画や音声が含まれる。コンテンツは、例えば、ＩＣタグ１０が備えられた広告媒体の掲載内容に関連する情報やＩＣタグ１０が備えられた物品に関連する情報に具体化される。コンテンツ提供サーバ３０は、ユーザ端末２０からのアクセスに応じて、コンテンツをユーザ端末２０に送信する。なお、ネットワークＮＷには、相互に異なるコンテンツを提供する複数のコンテンツ提供サーバ３０がコンテンツの提供元として接続されてもよい。
【００２５】
情報管理サーバ４０は、ユーザ端末２０からのアクセスに応じて、ユーザ端末２０から受信した言語情報Ｉｇに基づき、コンテンツの提供元を示すコンテンツ情報Ｉｃを特定する。そして、情報管理サーバ４０は、特定されたコンテンツ情報Ｉｃをユーザ端末２０に送信する。第１の実施形態において、コンテンツ情報Ｉｃは、コンテンツ提供サーバ３０におけるアクセス先を示すアドレスとしてのＵＲＬに具体化される。
【００２６】
［情報管理サーバの構成］
図２および図３を参照して、情報管理サーバ４０の構成について説明する。
図２に示されるように、情報管理サーバ４０は、通信部４１と、制御部４２と、記憶部４３とを備えている。
【００２７】
通信部４１は、情報管理サーバ４０とユーザ端末２０との接続処理を実行する。また、通信部４１は、受信部、取得部、および出力部として機能し、情報管理サーバ４０とユーザ端末２０との間でデータの送信および受信を行う。
【００２８】
制御部４２は、ＣＰＵを含み、記憶部４３に記憶されたプログラムやデータに基づいて、通信部４１における通信の制御や記憶部４３における情報の読み出しを含め、各種の演算処理や情報管理サーバ４０の各部の制御を行う。
【００２９】
制御部４２は、情報提供システムによる情報提供方法を実現する構成の一部として、情報特定部４２ａを備えている。情報特定部４２ａは、通信部４１が受信したユーザ端末２０からのリクエストに応じ、ユーザ端末２０から受信した言語情報Ｉｇを用いて、記憶部４３に記憶された対応コンテンツデータ４３ａにてタグ情報Ｉｔと対応付けられている複数のコンテンツ情報Ｉｃの中から１つのコンテンツ情報Ｉｃを特定する。特定されたコンテンツ情報Ｉｃは、通信部４１からユーザ端末２０に出力される。
【００３０】
記憶部４３は、制御部４２の処理に必要なプログラムやデータを一時的あるいは永続的に記憶する。こうしたデータの一例として、記憶部４３は、上記の対応コンテンツデータ４３ａを記憶している。対応コンテンツデータ４３ａでは、タグ情報Ｉｔとコンテンツ情報Ｉｃと言語情報Ｉｇとが互いに対応付けられている。
【００３１】
なお、制御部４２の情報特定部４２ａとしての機能は、複数のＣＰＵやメモリ等の各種のハードウェアによって具体化されてもよく、共通する１つのハードウェアに複数の機能を与えるソフトウェアによって具体化されてもよい。こうしたソフトウェアは、情報管理プログラムとして、記憶部４３に記憶される。
【００３２】
図３を参照して、ＩＣタグ１０が有するタグ情報Ｉｔと、対応コンテンツデータ４３ａを構成するコンテンツ情報Ｉｃおよび言語情報Ｉｇの対応関係について説明する。
図３に示されるように、タグの識別情報がタグＩＤとして設定され、１つのタグＩＤには、１つのタグ情報Ｉｔが対応付けられている。また、対応コンテンツデータ４３ａにおいて、コンテンツ情報Ｉｃおよび言語情報Ｉｇは、タグ情報Ｉｔに対応付けられる状態で記憶されている。１つのタグ情報Ｉｔには、１つのコンテンツ情報Ｉｃと１つの言語情報Ｉｇとからなる情報の組が複数対応付けられている。記憶部４３は、１以上のタグ情報Ｉｔについて、対応コンテンツデータ４３ａを記憶している。
【００３３】
例えば、「００１」のタグＩＤを有するＩＣタグ１０には、タグ情報Ｉｔとして「ｈｔｔｐ：／／△△／ａｂｃ」が記憶されている。すなわち、「００１」というタグＩＤは、「ｈｔｔｐ：／／△△／ａｂｃ」というタグ情報Ｉｔと対応付けられている。ここで、タグ情報ＩｔとしてのＵＲＬのうち、「△△」は、情報管理サーバ４０のドメイン名を示す。また、「ａｂｃ」は、情報管理サーバ４０内におけるファイルのパス名を示す。すなわち、「００１」のタグＩＤには、情報管理サーバ４０の「ａｂｃ」に対応するファイルをアクセス先として指定する情報が対応付けられている。
【００３４】
そして、タグ情報Ｉｔにて指定されるアクセス先のファイル、すなわち「ａｂｃ」に対応するファイルには、「Ａコンテンツ」を提供するコンテンツ提供サーバ３０のＵＲＬであるコンテンツ情報Ｉｃと日本語を示す言語情報Ｉｇとが互いに対応付けられて記憶されている。さらに、「ａｂｃ」に対応するファイルには、「Ｂコンテンツ」を提供するコンテンツ提供サーバ３０のＵＲＬであるコンテンツ情報Ｉｃと英語を示す言語情報Ｉｇとが互いに対応付けられて記憶され、「Ｃコンテンツ」を提供するコンテンツ提供サーバ３０のＵＲＬであるコンテンツ情報Ｉｃと中国語を示す言語情報Ｉｇとが互いに対応付けられて記憶されている。「Ａコンテンツ」は日本語で表示されるコンテンツであり、「Ｂコンテンツ」は英語で表示されるコンテンツであり、「Ｃコンテンツ」は中国語で表示されるコンテンツである。これらのコンテンツは、「ｈｔｔｐ：／／△△／ａｂｃ」というタグ情報Ｉｔが記憶されているＩＣタグ１０が備えられた広告媒体や物品に関連するコンテンツであって、コンテンツにおける表示言語以外の内容は同一であってもよいし異なっていてもよい。
【００３５】
このように、１つのタグ情報Ｉｔには、複数の互いに異なるコンテンツ情報Ｉｃと複数の互いに異なる言語情報Ｉｇとが対応付けられており、１つのコンテンツ情報Ｉｃには１つの言語情報Ｉｇが対応付けられている。そして、コンテンツ情報Ｉｃは、そのコンテンツ情報Ｉｃに対応付けられている言語情報Ｉｇが示す言語によって表示されるコンテンツの提供元を示す情報である。
【００３６】
なお、１つのタグ情報Ｉｔに対応付けられる言語情報Ｉｇとコンテンツ情報Ｉｃの組は、２以上であればよく、その数は限定されない。また、言語情報Ｉｇが示す言語は、上述の例に限らず、いずれの言語であってもよい。
【００３７】
［情報提供システムの作用］
図４を参照して、情報提供システムによるコンテンツの提供の手順について説明する。
まず、コンテンツを取得したいユーザによって、ユーザ端末２０における近距離無線通信によるデータの読み取り部がＩＣタグ１０にかざされる。これにより、ＩＣタグ１０に記憶されているタグ情報Ｉｔが、ユーザ端末２０に読み取られる（ステップＳ１０）。タグ情報Ｉｔが読み取られると、ユーザ端末２０は、タグ情報Ｉｔによって特定される情報管理サーバ４０のアクセス先に対するリクエストを情報管理サーバ４０に送信する（ステップＳ１１）。このとき、ユーザ端末２０は、ユーザ端末２０が有する言語情報Ｉｇを情報管理サーバ４０に送信する。こうして、情報管理サーバ４０は、アクセス先として指定された態様でユーザ端末２０からタグ情報Ｉｔを受け取り、かつ、ユーザ端末２０から言語情報Ｉｇを取得する。
【００３８】
情報管理サーバ４０の情報特定部４２ａは、ユーザ端末２０からのリクエストに応じ、記憶部４３に記憶されている対応コンテンツデータ４３ａを参照して、指定されたアクセス先に記憶される複数のコンテンツ情報Ｉｃの中から、ユーザ端末２０から受信した言語情報Ｉｇと対応付けられているコンテンツ情報Ｉｃを特定する（ステップＳ１２）。そして、情報特定部４２ａは、通信部４１を介して、特定されたコンテンツ情報Ｉｃをレスポンスとしてユーザ端末２０に送信する。これにより、ＩＣタグ１０が有するタグ情報Ｉｔおよびユーザ端末２０が有する言語情報Ｉｇに情報管理サーバ４０にて対応付けられているコンテンツ情報Ｉｃがユーザ端末２０に送信される（ステップＳ１３）。
【００３９】
なお、ユーザ端末２０から受信した言語情報Ｉｇが、タグ情報Ｉｔに対応付けられている言語情報Ｉｇの中に存在しない言語情報Ｉｇであった場合、情報特定部４２ａは、例えば英語で表示されるコンテンツに対応するコンテンツ情報Ｉｃ等、予め決められたコンテンツ情報Ｉｃを特定してユーザ端末２０に送信する。あるいは、情報管理サーバ４０は、コンテンツを提供できない旨の通知をユーザ端末２０に送信してもよい。
【００４０】
情報管理サーバ４０からコンテンツ情報Ｉｃを受信すると、ユーザ端末２０は、コンテンツ情報Ｉｃによって特定されるコンテンツ提供サーバ３０のアクセス先に対するリクエストをコンテンツ提供サーバ３０に送信する（ステップＳ１４）。
【００４１】
コンテンツ提供サーバ３０は、ユーザ端末２０からのリクエストに応じ、レスポンスとしてコンテンツをユーザ端末２０に送信する（ステップＳ１５）。コンテンツ提供サーバ３０からコンテンツを受信すると、ユーザ端末２０は、受信したコンテンツを表示部に表示する（ステップＳ１６）。これにより、ユーザ端末２０にて設定されている表示言語によって表示されるコンテンツが、ユーザに提供される。
【００４２】
このように、情報管理サーバ４０では、１つのタグ情報Ｉｔに複数のコンテンツ情報Ｉｃが対応付けられ、コンテンツ情報Ｉｃの各々には、言語情報Ｉｇが対応付けられている。そして、情報管理サーバ４０は、ユーザ端末２０から受け取ったタグ情報Ｉｔおよび言語情報Ｉｇに合致するタグ情報Ｉｔおよび言語情報Ｉｇに対応付けられているコンテンツ情報Ｉｃを特定して、ユーザ端末２０へコンテンツ情報Ｉｃを送信する。これにより、ユーザ端末２０は、コンテンツ情報Ｉｃを利用して、コンテンツの提供を受けることができる。
【００４３】
すなわち、情報管理サーバ４０からユーザ端末２０に送信されるコンテンツ情報Ｉｃは、タグ情報Ｉｔに対応付けられた複数のコンテンツ情報Ｉｃの中から選択され、選択されるコンテンツ情報Ｉｃは、情報管理サーバ４０がユーザ端末２０から取得した言語情報Ｉｇに応じて変わる。その結果、同一のＩＣタグ１０からタグ情報Ｉｔが読み取られた場合でも、ユーザ端末２０の有する言語情報Ｉｇによって、情報管理サーバ４０から出力されるコンテンツ情報Ｉｃは変わる。互いに異なるコンテンツ情報Ｉｃの出力を受けたユーザ端末２０は、それぞれのコンテンツ情報Ｉｃを利用して、互いに異なるコンテンツの提供を受けることができる。
【００４４】
したがって、このようなタグ情報Ｉｔとコンテンツ情報Ｉｃと言語情報Ｉｇとの管理によって、１つのＩＣタグ１０を通じて互いに異なるコンテンツを提供することを可能とするように、情報を管理することができる。
【００４５】
また、ＩＣタグ１０とコンテンツとの対応付けが、情報管理サーバ４０にてまとめて管理される。そのため、ＩＣタグ１０がタグ情報Ｉｔとしてコンテンツ提供サーバ３０のアドレスを有する場合のように、ＩＣタグ１０にてＩＣタグ１０とコンテンツとが対応付けられ、ＩＣタグ１０とコンテンツとの対応付けがＩＣタグ１０ごとに管理される形態と比較して、ＩＣタグ１０とコンテンツとの対応付けの管理が容易になる。例えば、ＩＣタグ１０を通じて提供されるコンテンツを確認する際にも、ＩＣタグ１０の設置場所への移動や設置場所でのタグ情報Ｉｔの取得を行わずとも、情報管理サーバ４０が有する対応コンテンツデータ４３ａの確認によってコンテンツの確認が可能であるため、確認作業に要する労力が軽減される。
【００４６】
また、第１の実施形態では、タグ情報Ｉｔに対応付けられた複数のコンテンツ情報Ｉｃの中から１つのコンテンツ情報Ｉｃを特定するために用いられる付加情報として、言語の種類を示す言語情報Ｉｇが用いられている。対応コンテンツデータ４３ａを用いて行われる照合の照合元となる言語情報Ｉｇ、すなわち情報管理サーバ４０が取得する言語情報Ｉｇは、ユーザ端末２０にて設定されている表示言語の種類を示す言語情報Ｉｇである。そして、照合先となる言語情報Ｉｇ、すなわち対応コンテンツデータ４３ａに含まれる言語情報Ｉｇには、その言語情報Ｉｇが示す言語にて表示されるコンテンツの提供元を示すコンテンツ情報Ｉｃが対応付けられている。
【００４７】
したがって、情報管理サーバ４０から出力されるコンテンツ情報Ｉｃは、タグ情報Ｉｔを読み取ったユーザ端末２０にて設定されている表示言語によって表示されるコンテンツに対応する。すなわち、ユーザ端末２０は、ＩＣタグ１０を通じて、ユーザ端末２０にて設定されている表示言語によって表示されるコンテンツを取得できる。それゆえ、ユーザは、ユーザ端末２０にて使い慣れている言語で表示されるコンテンツを取得できるため、ユーザの利便性が高められる。特に、複数の国の人々が訪れる観光地や催事場にて、第１の実施形態の情報提供システムが用いられると、その有効性が高められる。
【００４８】
以上説明したように、第１の実施形態によれば、以下に列挙する効果が得られる。
（１）情報管理サーバ４０は、ユーザ端末２０が受信したタグ情報Ｉｔに対応付けられている複数のコンテンツ情報Ｉｃの中から、情報管理サーバ４０が取得した付加情報に対応付けられている１つのコンテンツ情報Ｉｃを特定して出力する。したがって、付加情報に応じて、互いに異なるコンテンツ情報Ｉｃが出力される。情報の出力を受けた装置は、付加情報に応じた互いに異なるコンテンツ情報Ｉｃを利用することができる。結果として、１つのＩＣタグ１０を通じて互いに異なるコンテンツを提供することを可能とするように、情報を管理することができる。
【００４９】
（２）付加情報として言語情報Ｉｇが用いられ、情報管理サーバ４０が取得する言語情報Ｉｇは、ユーザ端末２０にて設定されている表示言語の種類を示す言語情報Ｉｇであり、情報管理サーバ４０にてタグ情報Ｉｔに対応付けられているコンテンツ情報Ｉｃは、当該コンテンツ情報Ｉｃに対応付けられている言語情報Ｉｇが示す言語にて表示されるコンテンツの提供元を示す情報である。したがって、情報管理サーバ４０から出力されるコンテンツ情報Ｉｃは、タグ情報Ｉｔを読み取ったユーザ端末２０にて設定されている表示言語によって表示されるコンテンツの提供元を示す情報である。出力されたコンテンツ情報Ｉｃを利用することにより、ユーザ端末２０は、ＩＣタグ１０を通じて、ユーザ端末２０にて設定されている表示言語によって表示されるコンテンツを取得できるため、ユーザの利便性が高められる。
【００５０】
（第２の実施形態）
図５〜図８を参照して、情報管理サーバ、情報提供システム、情報提供方法、および、情報管理プログラムの第２の実施形態について説明する。以下では、第１の実施形態との相違点を中心に説明し、第１の実施形態と同様の構成については同じ符号を付してその説明を省略する。
【００５１】
［情報提供システムの構成］
図５を参照して、情報提供システムの全体構成について説明する。
図５に示されるように、情報提供システムは、ＩＣタグ１０、ユーザ端末２０、コンテンツ提供サーバ３０、および、情報管理サーバ４０に加えて、表示装置５０を含む。表示装置５０は、ネットワークＮＷに接続されて、情報管理サーバ４０と相互にデータを送信および受信する。
【００５２】
表示装置５０は、大型の表示部を有し、ネットワークＮＷへの接続機能と表示部への画像等の表示機能とを備える。表示装置５０は、例えばデジタルサイネージ等に具体化され、街頭や駅や商業施設等に設置される。表示装置５０は、情報管理サーバ４０からの指示に従い、情報管理サーバ４０から予め受信した表示データを用いて、文字情報や静止画や動画等を表示部に表示する。
【００５３】
ＩＣタグ１０は、第１の実施形態と同様の構成を有する装置であって、タグ情報Ｉｔとして、情報管理サーバ４０におけるアクセス先を示すアドレスとしてのＵＲＬを記憶している。ＩＣタグ１０は、表示装置５０ごとに割り当てられ、表示装置５０を視認可能な位置に設置される。表示装置５０を視認可能な位置であれば、ＩＣタグ１０は、表示装置５０に設けられてもよいし、表示装置５０から離れた場所に設置されてもよい。
【００５４】
ユーザ端末２０は、第１の実施形態と同様の構成を有する端末であるが、第２の実施形態では、情報提供システムによるコンテンツの提供に際して言語情報Ｉｇは用いられないため、ユーザ端末２０は言語情報Ｉｇを有していなくてもよい。
【００５５】
情報管理サーバ４０は、ユーザ端末２０からのアクセスに応じて、情報管理サーバ４０が取得した付加情報としての時刻情報Ｉｍに基づき、コンテンツの提供元を示すコンテンツ情報Ｉｃを特定する。そして、情報管理サーバ４０は、特定されたコンテンツ情報Ｉｃをユーザ端末２０に送信する。また、情報管理サーバ４０は、表示装置５０における表示内容を時刻に応じて制御する。
【００５６】
なお、コンテンツ提供サーバ３０は、第１の実施形態と同様の構成を有する。
［情報管理サーバの構成］
図６および図７を参照して、情報管理サーバ４０の構成について説明する。
【００５７】
図６に示されるように、情報管理サーバ４０は、通信部４１と、制御部４２と、記憶部４３と、時計部４４とを備えている。
通信部４１は、情報管理サーバ４０とユーザ端末２０あるいは表示装置５０との接続処理を実行する。また、通信部４１は、受信部および出力部として機能し、情報管理サーバ４０とユーザ端末２０あるいは表示装置５０との間でデータの送信および受信を行う。
【００５８】
制御部４２は、情報特定部４２ａに加えて、表示制御部４２ｂを備えている。
情報特定部４２ａは、取得部を兼ね、通信部４１がユーザ端末２０からのリクエストを受けたとき、時計部４４から時刻情報Ｉｍを取得する。そして、情報特定部４２ａは、取得した時刻情報Ｉｍを用いて、記憶部４３に記憶された対応コンテンツデータ４３ａにてタグ情報Ｉｔと対応付けられている複数のコンテンツ情報Ｉｃの中から１つのコンテンツ情報Ｉｃを特定する。特定されたコンテンツ情報Ｉｃは、通信部４１からユーザ端末２０に出力される。
【００５９】
表示制御部４２ｂは、記憶部４３に記憶された表示装置配信データ４３ｂに含まれる表示データを、通信部４１を介して表示装置５０に送信する。送信される表示データには、複数の表示内容に相当する表示データが含まれる。また、表示制御部４２ｂは、時計部４４から時刻情報Ｉｍを定期的に取得し、時刻情報Ｉｍが所定の時刻を示すときに、表示装置５０に対して、表示装置５０に送信した表示データのうちの所定の表示データを用いて表示を行うことを指示する信号を、通信部４１を介して送信する。このように、表示制御部４２ｂは、予め複数の表示内容に相当する表示データを表示装置５０に送信し、表示装置５０にて用いられる表示データを時刻に応じて指示することによって、表示装置５０の表示内容を時刻に応じて制御する。
【００６０】
記憶部４３は、対応コンテンツデータ４３ａと表示装置配信データ４３ｂとを記憶している。対応コンテンツデータ４３ａでは、タグ情報Ｉｔとコンテンツ情報Ｉｃと時刻情報Ｉｍとが互いに対応付けられている。表示装置配信データ４３ｂは、表示装置５０に配信される文字情報や動画等のデータである表示データから構成されている。
【００６１】
時計部４４は、時刻を計測し、計測した時刻を情報特定部４２ａや表示制御部４２ｂに出力する。
なお、制御部４２の情報特定部４２ａおよび表示制御部４２ｂとしての機能は、複数のＣＰＵやメモリ等の各種のハードウェアによって具体化されてもよく、共通する１つのハードウェアに複数の機能を与えるソフトウェアによって具体化されてもよい。こうしたソフトウェアは、情報管理プログラムとして、記憶部４３に記憶される。
【００６２】
図７を参照して、ＩＣタグ１０が有するタグ情報Ｉｔと、対応コンテンツデータ４３ａを構成するコンテンツ情報Ｉｃおよび時刻情報Ｉｍの対応関係について説明する。
図７に示されるように、対応コンテンツデータ４３ａにおいて、コンテンツ情報Ｉｃと、時刻情報Ｉｍを導く設定時間とは、タグ情報Ｉｔに対応付けられる状態で記憶されている。設定時間は、特定の時刻から特定の時刻までの時間の範囲を示す情報である。１つのタグ情報Ｉｔには、複数のコンテンツ情報Ｉｃが対応付けられ、１つのコンテンツ情報には、１以上の設定時間が対応付けられている。記憶部４３は、１以上のタグ情報Ｉｔについて、対応コンテンツデータ４３ａを記憶している。
【００６３】
例えば、「００１」というタグＩＤは、「ｈｔｔｐ：／／△△／ａｂｃ」というタグ情報Ｉｔと対応付けられている。そして、タグ情報Ｉｔにて指定されるアクセス先のファイル、すなわち「ａｂｃ」に対応するファイルには、「Ｄコンテンツ」を提供するコンテンツ提供サーバ３０のＵＲＬであるコンテンツ情報Ｉｃと「０：００〜１０：５９」を示す設定時間とが互いに対応付けられて記憶されている。すなわち、「Ｄコンテンツ」に対応するコンテンツ情報Ｉｃには、「０：００〜１０：５９」に含まれる時刻を示す時刻情報Ｉｍが対応付けられている。「Ｄコンテンツ」は「０：００〜１０：５９」の時間帯に、「ｈｔｔｐ：／／△△／ａｂｃ」というタグ情報Ｉｔを有するＩＣタグ１０が割り当てられている表示装置５０に表示される内容に関連するコンテンツである。
【００６４】
さらに、「ａｂｃ」に対応するファイルには、「Ｅコンテンツ」を提供するコンテンツ提供サーバ３０のＵＲＬであるコンテンツ情報Ｉｃと「１１：００〜１４：５９」を示す設定時間とが互いに対応付けられて記憶され、「Ｆコンテンツ」を提供するコンテンツ提供サーバ３０のＵＲＬであるコンテンツ情報Ｉｃと「１５：００〜２３：５９」を示す設定時間とが互いに対応付けられて記憶されている。すなわち、「Ｅコンテンツ」に対応するコンテンツ情報Ｉｃには、「１１：００〜１４：５９」に含まれる時刻を示す時刻情報Ｉｍが対応付けられ、「Ｆコンテンツ」に対応するコンテンツ情報Ｉｃには、「１５：００〜２３：５９」に含まれる時刻を示す時刻情報Ｉｍが対応付けられている。「Ｅコンテンツ」は「１１：００〜１４：５９」の時間帯に、「ｈｔｔｐ：／／△△／ａｂｃ」というタグ情報Ｉｔを有するＩＣタグ１０が割り当てられている表示装置５０に表示される内容に関連するコンテンツであり、「Ｆコンテンツ」は「１５：００〜２３：５９」の時間帯に、「ｈｔｔｐ：／／△△／ａｂｃ」というタグ情報Ｉｔを有するＩＣタグ１０が割り当てられている表示装置５０に表示される内容に関連するコンテンツである。
【００６５】
このように、１つのタグ情報Ｉｔには、複数の互いに異なるコンテンツ情報Ｉｃが対応付けられており、１つのコンテンツ情報Ｉｃには１つの設定時間に含まれる１以上の時刻情報Ｉｍが対応付けられている。なお、１つのタグ情報Ｉｔに対応付けられるコンテンツ情報Ｉｃは、２以上であればよく、その数は限定されない。また、同一のタグ情報Ｉｔに対応付けられる複数の設定時間に、同一の時刻情報Ｉｍが含まれない態様であれば、１つのコンテンツ情報Ｉｃに複数の設定時間が対応付けられてもよい。
【００６６】
ここで、図７に例示されるように、「ｈｔｔｐ：／／△△／ａｂｃ」というタグ情報Ｉｔに、「０：００〜１０：５９」、「１１：００〜１４：５９」、「１５：００〜２３：５９」という３つの設定時間が対応付けられ、それぞれの設定時間がコンテンツ情報Ｉｃに対応付けられているとき、表示制御部４２ｂは、「ｈｔｔｐ：／／△△／ａｂｃ」というタグ情報Ｉｔを有するＩＣタグ１０が割り当てられている表示装置５０に表示される表示内容を、上記３つの設定時間ごとに切り替える。具体的には、表示制御部４２ｂは、上記３つの設定時間のそれぞれの開始に合わせて、該当する表示装置５０に対して、表示に用いられる表示データを切り替えることを指示する。表示制御部４２ｂが、切り替え後の表示データとして指示する表示データは予め設定されており、それぞれの設定時間に対応付けられるコンテンツ情報Ｉｃが、その設定時間での表示装置５０の表示内容に関連するコンテンツの提供元を示す情報とされる。
【００６７】
このように、表示装置５０にて互いに異なる表示内容が表示される期間の各々と、その表示装置５０に割り当てられているＩＣタグ１０が有するタグ情報Ｉｔに対応付けられる設定時間の各々との範囲が合わせられている。そして、各設定時間に対応付けられるコンテンツ情報Ｉｃに対応するコンテンツは、その時間帯での表示装置５０の表示内容に関連するコンテンツである。
【００６８】
［情報提供システムの作用］
図８を参照して、情報提供システムによるコンテンツの提供の手順について説明する。
まず、表示装置５０を見ているユーザによって、ユーザ端末２０における近距離無線通信によるデータの読み取り部がＩＣタグ１０にかざされる。これにより、ＩＣタグ１０に記憶されているタグ情報Ｉｔが、ユーザ端末２０に読み取られる（ステップＳ２０）。タグ情報Ｉｔが読み取られると、ユーザ端末２０は、タグ情報Ｉｔによって特定される情報管理サーバ４０のアクセス先に対するリクエストを情報管理サーバ４０に送信する（ステップＳ２１）。こうして、情報管理サーバ４０は、アクセス先として指定された態様で、ユーザ端末２０からタグ情報Ｉｔを受け取る。
【００６９】
ユーザ端末２０からのリクエストを受信すると、情報管理サーバ４０の情報特定部４２ａは、時計部４４から現在時刻を示す時刻情報Ｉｍを取得する（ステップＳ２２）。そして、情報特定部４２ａは、対応コンテンツデータ４３ａを参照して、指定されたアクセス先に記憶される複数のコンテンツ情報Ｉｃの中から、時計部４４から取得した時刻情報Ｉｍと対応付けられているコンテンツ情報Ｉｃを特定する（ステップＳ２３）。そして、情報特定部４２ａは、通信部４１を介して、特定されたコンテンツ情報Ｉｃをレスポンスとしてユーザ端末２０に送信する。これにより、ＩＣタグ１０が有するタグ情報Ｉｔ、および、情報管理サーバ４０がユーザ端末２０からのリクエストを受信した時刻を示す時刻情報Ｉｍに、情報管理サーバ４０にて対応付けられているコンテンツ情報Ｉｃがユーザ端末２０に送信される（ステップＳ２４）。
【００７０】
情報管理サーバ４０からコンテンツ情報Ｉｃを受信すると、ユーザ端末２０は、コンテンツ情報Ｉｃによって特定されるコンテンツ提供サーバ３０のアクセス先に対するリクエストをコンテンツ提供サーバ３０に送信する（ステップＳ２５）。
【００７１】
コンテンツ提供サーバ３０は、ユーザ端末２０からのリクエストに応じ、レスポンスとしてコンテンツをユーザ端末２０に送信する（ステップＳ２６）。コンテンツ提供サーバ３０からコンテンツを受信すると、ユーザ端末２０は、受信したコンテンツを表示部に表示する（ステップＳ２７）。これにより、コンテンツがユーザに提供される。提供されるコンテンツは、ユーザ端末２０によってタグ情報Ｉｔが読み取られたＩＣタグ１０が割り当てられている表示装置５０にて表示されている表示内容に関連するコンテンツである。すなわち、ユーザは、ユーザが見ている表示装置５０の表示内容に関連するコンテンツを取得できる。
【００７２】
このように、情報管理サーバ４０では、１つのタグ情報Ｉｔに複数のコンテンツ情報Ｉｃが対応付けられ、コンテンツ情報Ｉｃの各々には、時刻情報Ｉｍが対応付けられている。そして、情報管理サーバ４０は、ユーザ端末２０から受け取ったタグ情報Ｉｔと情報管理サーバ４０が取得した時刻情報Ｉｍとに合致するタグ情報Ｉｔおよび時刻情報Ｉｍに対応付けられているコンテンツ情報Ｉｃを特定して、ユーザ端末２０へコンテンツ情報Ｉｃを送信する。これにより、ユーザ端末２０は、コンテンツ情報Ｉｃを利用して、コンテンツの提供を受けることができる。
【００７３】
すなわち、第２の実施形態においても、情報管理サーバ４０からユーザ端末２０に送信されるコンテンツ情報Ｉｃは、タグ情報Ｉｔに対応付けられた複数のコンテンツ情報Ｉｃの中から選択され、選択されるコンテンツ情報Ｉｃは、情報管理サーバ４０が取得した時刻情報Ｉｍに応じて変わる。その結果、同一のＩＣタグ１０からタグ情報Ｉｔが読み取られた場合でも、時刻によって、情報管理サーバ４０から出力されるコンテンツ情報Ｉｃは変わる。互いに異なるコンテンツ情報Ｉｃの出力を受けたユーザ端末２０は、それぞれのコンテンツ情報Ｉｃを利用して、互いに異なるコンテンツの提供を受けることができる。
【００７４】
したがって、このようなタグ情報Ｉｔとコンテンツ情報Ｉｃと時刻情報Ｉｍとの管理によって、１つのＩＣタグ１０を通じて互いに異なるコンテンツを提供することを可能とするように、情報を管理することができる。
【００７５】
また、第２の実施形態では、タグ情報Ｉｔに対応付けられた複数のコンテンツ情報Ｉｃの中から１つのコンテンツ情報Ｉｃを特定するために用いられる付加情報として、時刻を示す時刻情報Ｉｍが用いられている。対応コンテンツデータ４３ａを用いて行われる照合の照合元となる時刻情報Ｉｍ、すなわち情報管理サーバ４０が取得する時刻情報Ｉｍは、現在時刻を示す時刻情報Ｉｍである。そして、照合先となる時刻情報Ｉｍ、すなわち対応コンテンツデータ４３ａに含まれる時刻情報Ｉｍに対応付けられるコンテンツ情報Ｉｃは、その時刻情報Ｉｍが示す時刻に、その時刻情報Ｉｍが対応付けられているタグ情報Ｉｔを有するＩＣタグ１０が割り当てられている表示装置５０にて表示される内容に関連するコンテンツの提供元を示す。
【００７６】
したがって、情報管理サーバ４０から出力されるコンテンツ情報Ｉｃは、タグ情報Ｉｔが読み取られたＩＣタグ１０が割り当てられている表示装置５０におけるその時刻での表示内容に関連するコンテンツに対応する。そして、表示装置５０の表示内容は情報管理サーバ４０によって制御されている。すなわち、表示装置５０での表示内容と提供されるコンテンツとの双方が情報管理サーバ４０にて管理され、表示装置５０での表示内容と提供されるコンテンツとが連動している。
【００７７】
その結果、ユーザ端末２０は、ＩＣタグ１０を通じて、そのＩＣタグ１０が割り当てられている表示装置５０のその時刻での表示内容に関連するコンテンツを取得できる。それゆえ、ユーザは視聴中の表示装置５０の表示内容に関連するコンテンツを取得できるため、表示内容の切り替わりに応じてユーザに適切なコンテンツが提供される。
【００７８】
以上説明したように、第２の実施形態によれば、第１の実施形態の（１）の効果に加え、以下の効果が得られる。
（３）付加情報として時刻情報Ｉｍが用いられ、情報管理サーバ４０が取得する時刻情報Ｉｍは、現在時刻を示す時刻情報Ｉｍである。また、情報管理サーバ４０にてタグ情報Ｉｔに対応付けられているコンテンツ情報Ｉｃは、当該コンテンツ情報Ｉｃに対応付けられている時刻情報Ｉｍが示す時刻における表示装置５０の表示内容に関連するコンテンツの提供元を示す情報である。したがって、情報管理サーバ４０から出力されるコンテンツ情報Ｉｃは、タグ情報Ｉｔが読み取られたＩＣタグ１０が割り当てられている表示装置５０におけるその時刻での表示内容に関連するコンテンツの提供元を示す情報である。出力されたコンテンツ情報Ｉｃを利用することにより、ユーザ端末２０は、ＩＣタグ１０を通じて、表示装置５０のその時刻での表示内容に関連するコンテンツを取得できるため、表示内容の切り替わりに応じてユーザに適切なコンテンツが提供される。
【００７９】
（変形例）
上記各実施形態は、以下のように変更して実施することが可能である。
・第２の実施形態において、ユーザ端末２０がタグ情報Ｉｔを読み取った時刻が、当該ユーザ端末２０から情報管理サーバ４０に時刻情報Ｉｍとして送信され、情報管理サーバ４０は、受信された時刻情報Ｉｍを用いてコンテンツ情報Ｉｃを特定してもよい。この場合、通信部４１が取得部として機能する。
【００８０】
・第２の実施形態において、表示制御部４２ｂは、予め複数の表示内容に相当する表示データを表示装置５０に送信することに代えて、設定時間の開始の度に、互いに異なる表示データを表示装置５０に送信してもよい。要は、表示装置５０の表示内容が時刻に応じて制御可能であればよい。
【００８１】
・第２の実施形態において、ＩＣタグ１０は表示装置５０に割り当てられず、タグ情報Ｉｔに対応付けられているコンテンツ情報Ｉｃは、表示装置５０の表示内容とは関連しないコンテンツの提供元を示す情報であってもよい。要は、表示装置５０の表示内容と提供されるコンテンツとは連動せず、提供されるコンテンツが時刻に応じて変わる構成であってもよい。こうした構成によっても、上記（１）の効果は得られる。
【００８２】
・付加情報は、言語情報Ｉｇや時刻情報Ｉｍに限られず、情報管理サーバ４０が、タグ情報Ｉｔの取得に伴って、情報管理サーバ４０とは異なる装置あるいは情報管理サーバ４０内から取得可能な情報であればよい。例えば、付加情報は、ユーザ端末２０が有するＯＳの種類や、スマートフォンあるいはタブレット端末といった端末の種別等、ユーザ端末２０の機種に関する情報であってもよい。また、付加情報は、ユーザに割り当てられたユーザの識別情報であってもよい。例えば、会員が複数の階級のいずれかに分類される会員制のサービスにて会員に割り当てられた会員ＩＤがユーザの識別情報とされ、対応コンテンツデータ４３ａでは最上級の階級に属する会員の会員ＩＤと特別なコンテンツのコンテンツ情報Ｉｃとが対応付けられる等により、ユーザが会員として属する階級に応じたコンテンツが提供されてもよい。ユーザの識別情報は、ユーザ端末２０がタグ情報Ｉｔを読み取る度にユーザによってユーザ端末２０に入力されてもよいし、ユーザ端末２０に記憶されていてもよい。
【００８３】
また例えば、情報管理サーバ４０は、タグ情報Ｉｔを取得して情報管理サーバ４０にアクセスしたユーザ端末２０の識別情報や、アクセス回数等の情報を履歴データとして記憶し、記憶されたアクセス回数が付加情報として用いられてもよい。また、１つのコンテンツ情報Ｉｃに、互いに異なる種類の複数の付加情報が対応付けられていてもよい。要は、１つのタグ情報Ｉｔに対応付けられている複数のコンテンツ情報Ｉｃの中から１つのコンテンツ情報Ｉｃが特定可能なように、各コンテンツ情報Ｉｃに付加情報が対応付けられていればよい。
【００８４】
・情報管理サーバ４０が取得した付加情報が、タグ情報Ｉｔに対応付けられている付加情報の中に存在しない付加情報である場合、情報管理サーバ４０は、ユーザ端末２０に対してエラー通知を送信してもよいし、取得した付加情報をタグ情報Ｉｔに対応付けられている付加情報うちの所定の付加情報とみなして処理をしてもよい。また、ユーザ端末２０は、付加情報が存在しない場合に送信するコンテンツ情報Ｉｃとして予め設定されているコンテンツ情報Ｉｃをユーザ端末２０に送信してもよい。
【００８５】
・ＩＣタグ１０は、タグＩＤのみを記憶し、情報管理サーバ４０の記憶部４３は、コンテンツ情報Ｉｃと付加情報とをタグＩＤに対応付けて記憶してもよい。この構成にて、ユーザ端末２０によって読み取られたＩＣタグ１０のタグＩＤは、ユーザ端末２０から情報管理サーバ４０に送信され、情報管理サーバ４０は、受信されたタグＩＤと情報管理サーバ４０が取得した付加情報とに対応付けられるコンテンツ情報Ｉｃを特定する。要するに、ＩＣタグ１０が有するタグ情報Ｉｔは、ＵＲＬに限らず、当該タグに固有の情報であって、タグごとに割り当てられた情報であればよい。そして、情報管理サーバ４０の記憶部４３は、複数のコンテンツ情報Ｉｃと、コンテンツ情報Ｉｃの各々に対応付けられた付加情報とを、１つのタグ情報Ｉｔに対応付けて記憶する構成であればよい。
【００８６】
・コンテンツ情報Ｉｃは、コンテンツの提供元に関する情報であればよく、多数のコンテンツの中から推薦されるコンテンツを選定し、当該コンテンツの提供元を示す推薦コンテンツ情報を動的に作成するサーバである推薦コンテンツ選定サーバのアドレスであってもよい。例えば、情報管理サーバ４０が、上述のように履歴データを記憶し、タグ情報Ｉｔと付加情報とに基づいて特定したコンテンツ情報Ｉｃが、推薦コンテンツ選定サーバのアドレスであるときに、推薦コンテンツ選定サーバに向けて履歴データを送信する。そして、推薦コンテンツ選定サーバは、履歴データを利用して推薦されるコンテンツを選定し、選定されたコンテンツを提供するサーバのＵＲＬを推薦コンテンツ情報としてユーザ端末２０に送信する。ユーザ端末２０は推薦コンテンツ情報に基づいてコンテンツ提供サーバ３０にアクセスし、コンテンツの提供を受ける。これらの場合、情報管理サーバ４０の制御部４２は出力部として機能し、タグ情報Ｉｔに基づいて特定したコンテンツ情報Ｉｃを通信部４１に出力する。
【００８７】
こうした構成によれば、例えば、付加情報が言語情報Ｉｇであるときには、言語情報Ｉｇに基づいて特定されるコンテンツ情報Ｉｃが、その言語情報Ｉｇが示す言語にて表示されるコンテンツの中から推薦されるコンテンツを選定する推薦コンテンツ選定サーバのアドレスとされる。これにより、ユーザは、推薦されるコンテンツとして、ユーザ端末２０にて設定されている表示言語によって表示されるコンテンツを取得できる。また、例えば、付加情報が時刻情報Ｉｍである時には、時刻情報Ｉｍに基づいて特定されるコンテンツ情報Ｉｃが、ある時刻には特定のコンテンツの提供元であるサーバのアドレスとされ、ある時刻には推薦コンテンツサーバのアドレスとされる。これにより、ユーザには、ある時刻には特定のコンテンツが提供され、ある時刻には、推薦コンテンツ選定サーバによって選定されたコンテンツが提供される。
【００８８】
・上記実施形態では、ＩＣチップを備えたＩＣタグ１０と、非接触でＩＣタグ１０の有する情報を読み取るユーザ端末２０とを用いたが、これに代えて、例えば二次元バーコード等、端末によって読み取り可能な情報を保持する記憶媒体をタグとして用い、対応する読み取り端末をユーザ端末として用いてもよい。また、タグは、タグが記憶しているタグ情報を、例えばＢｌｕｅｔｏｏｔｈ（登録商標）を利用した無線通信等の近距離無線通信によって発信する装置であってもよく、この場合、ユーザ端末としては、タグが使用する近距離無線通信に対応した通信機能を有してタグ情報を受信可能な端末が用いられる。要は、タグは、タグが有するタグ情報を、ユーザ端末からの要求に応じて、あるいは自発的に、ユーザ端末に受け渡す物であればよい。
【符号の説明】
【００８９】
ＮＷ…ネットワーク、１０…ＩＣタグ、２０…ユーザ端末、３０…コンテンツ提供サーバ、４０…情報管理サーバ、５０…表示装置、４１…通信部、４２…制御部、４２ａ…情報特定部、４２ｂ…表示制御部、４３…記憶部、４３ａ…対応コンテンツデータ、４３ｂ…表示装置配信データ。
【図１】
2015138279.tif 000003
【図２】
2015138279.tif 000004
【図３】
2015138279.tif 000005
【図４】
2015138279.tif 000006
【図５】
2015138279.tif 000007
【図６】
2015138279.tif 000008
【図７】
2015138279.tif 000009
【図８】
2015138279.tif 000010